(57)【特許請求の範囲】
【請求項１】
前胴回り域、後胴回り域、及び前記前胴回り域と前記後胴回り域との間に位置する股下域と、
前記前胴回り域から前記後胴回り域に向かう前後方向及び前記前後方向と直交する幅方向と、
前記股下域を跨ぎ、前記前胴回り域及び前記後胴回り域の少なくともいずれか一方に延びる吸収コアと、
収縮部よりも前記幅方向の側方において前記収縮部の起立支点となる幅基端縁を有する起立性の防漏ギャザーと、を備える吸収性物品であって、
前記吸収性物品は、使用前に、前記前後方向に沿って延び、かつ前記吸収性物品の前記幅方向の中心を挟んで一対で配置された物品折り目を基点に、前記吸収性物品の肌面側同士が向き合うように折り畳まれており、
前記幅基端縁は、少なくとも前記前胴回り域及び前記後胴回り域において、前記吸収コアの外側縁よりも前記幅方向の外側に配置されており、
前記物品折り目は、少なくとも前記前胴回り域及び前記後胴回り域において前記吸収コアに重なっており、
前記吸収コアよりも前側及び前記吸収コアよりも後側のうち少なくとも一方に位置し、前記幅方向に伸縮する幅伸縮性部材を有し、
前記物品折り目は、前記幅伸縮性部材の外側縁よりも前記幅方向の外側に位置する、吸収性物品。
【請求項２】
前記防漏ギャザーは、前記収縮部よりも前側において、前記収縮部の起立支点となる前基端縁と、前記収縮部よりも後側において、前記収縮部の起立支点となる後基端縁と、を有し、
前記前基端縁と前記後基端縁のうち少なくとも一方は、前記吸収コアと重なる領域に配置されている、請求項１に記載の吸収性物品。
【請求項３】
前記吸収コアの外側縁よりも前記幅方向の外側に位置し、前記前後方向に伸縮する側部弾性部材を有し、
前記側部弾性部材は、前記幅基端縁よりも前記幅方向の内側に位置する内側部弾性部材を有する、請求項１又は請求項２に記載の吸収性物品。
【請求項４】
前記内側部弾性部材は、前記吸収コアの外側縁と前記幅基端縁との前記幅方向の中心よりも前記幅方向の外側に位置する、請求項３に記載の吸収性物品。
【請求項５】
前記吸収コアの外側縁よりも前記幅方向の外側に位置し、前記前後方向に伸縮する側部弾性部材を有し、
前記側部弾性部材は、前記幅基端縁よりも前記幅方向の外側に位置する外側部弾性部材を有する、請求項１から請求項４のいずれか１項に記載の吸収性物品。
【請求項６】
少なくとも前記後胴回り域において、前記吸収コアよりも前記幅方向の外側に延出し、前記前胴回り域に止着可能な止着部材が接合されたフラップ部を備え、
前記収縮部の後端縁は、前記フラップ部の前端縁よりも後側に位置する、請求項１から請求項５のいずれか１項に記載の吸収性物品。
【請求項７】
前記防漏ギャザーは、前記吸収性物品の伸長状態において、前記幅基端縁よりも前記幅方向の内側に位置する内側防漏弾性部材を有し、
前記物品折り目は、前記幅基端縁と前記内側防漏弾性部材との間において、前記防漏ギャザーに重なっている、請求項１から請求項６のいずれか１項に記載の吸収性物品。
【請求項８】
前記防漏ギャザーは、前記収縮部よりも前側において、前記収縮部の起立支点となる前基端縁と、前記収縮部よりも後側において、前記収縮部の起立支点となる後基端縁と、を有し、
前記前基端縁と前記後基端縁のうち少なくとも一方は、前記吸収コアと重ならない領域に設けられている、請求項１から請求項７のいずれか１項に記載の吸収性物品。
【請求項９】
前記防漏ギャザーと前記吸収コアと重なる積層領域の少なくとも一部には、前記防漏ギャザーの非肌面が前記防漏ギャザーの非肌面に当接する部材に対して接合されていない非接合領域が設けられている、請求項１から請求項８のいずれか１項に記載の吸収性物品。
【請求項１０】
前記収縮部は、前記吸収性物品の伸長状態において、前記幅基端縁よりも前記幅方向の内側に位置する内側収縮部と、前記幅基端縁よりも前記幅方向の外側に位置する外側収縮部と、を有する、請求項１から請求項９のいずれか１項に記載の吸収性物品。
【発明の詳細な説明】
【技術分野】
【０００１】
本発明は、着用者側に起立する防漏ギャザーを有する吸収性物品に関する。
【背景技術】
【０００２】
従来、着用者の尿や便等の排泄物を吸収する吸収性物品において、着用者側に起立する防漏ギャザーを有する吸収性物品が開示されている。防漏ギャザーは、防漏伸縮性部材が配置され、着用者側に起立する収縮部と、収縮部よりも幅方向の側方に位置し、収縮部の起立支点となる幅基端縁と、を少なくとも有する。幅基端縁を起点に収縮部が起立することにより、吸収性物品の外側部に着用者側に起立する壁部を設け、排泄物の横漏れを抑制する。特許文献１の防漏ギャザーの幅基端縁は、吸収コアに重なって配置されている。よって、防漏ギャザーによる壁部は、吸収コア上において吸収コアから起立し易い。
【先行技術文献】
【特許文献】
【０００３】
【特許文献１】特開２０１３−３１４９０号公報
【発明の概要】
【０００４】
このような吸収性物品にあっては、使用時の横漏れを抑制することが求められている。特許文献１の防漏ギャザーは、吸収コア上において起立している。そのため、軟便等の流動性の高い排泄物が排出され、吸収コアの外側縁近傍まで拡散すると、壁部に排泄物が到達し、横漏れが発生するおそれがある。また、排泄物が壁部に到達することを抑制するために、防漏ギャザーの幅基端縁を吸収コアの外側縁よりも幅方向の外側に配置して、防漏ギャザーの収容空間を広げることができる。しかし、防漏ギャザーの幅基端縁を吸収コアの外側縁よりも幅方向の外側に配置すると、吸収コアと幅基端縁が重なる形態と比較して、幅基端縁が吸収コアの剛性によって支持されてないため、幅基端縁が安定せずに防漏ギャザーの壁部の高さを確保しにくいことがあった。よって、壁部を排泄物が超えてしまい、横漏れが発生するおそれがある。
【０００５】
そこで、本発明は、上述した課題を解決するためになされたものであり、防漏ギャザーの壁部の高さを確保しつつ防漏ギャザーの収容空間を広げることができる吸収性物品を提供することを目的とする。
【課題を解決するための手段】
【０００６】
一態様に係る吸収性物品は、前胴回り域、後胴回り域、及び前記前胴回り域と前記後胴回り域との間に位置する股下域と、前記前胴回り域から前記後胴回り域に向かう前後方向及び前記前後方向と直交する幅方向と、前記股下域を跨ぎ、前記前胴回り域及び前記後胴回り域の少なくともいずれか一方に延びる吸収コアと、収縮部よりも前記幅方向の側方において前記収縮部の起立支点となる幅基端縁を有する起立性の防漏ギャザーと、を備える。前記吸収性物品は、使用前に、前記前後方向に沿って延び、前記吸収性物品の前記幅方向の中心を挟んで一対で配置された物品折り目を基点に、前記吸収性物品の肌面側同士が向き合うように折り畳まれている。前記幅基端縁は、少なくとも前記前胴回り域及び前記後胴回り域において、前記吸収コアの外側縁よりも前記幅方向の外側に配置されている。前記物品折り目は、少なくとも前記前胴回り域及び前記後胴回り域において前記吸収コアに重なっている。
【図面の簡単な説明】
【０００７】
【図１】図１は、実施形態に係る吸収性物品を肌面側から見た平面図である。
【図２】図２は、図１に示す吸収性物品が物品折り目を基点に折り畳まれた状態を示した平面図である。
【図３】図３は、図１に示すＡ−Ａ線に沿った断面図である。
【図４】図４は、図１に示すＢ−Ｂ線に沿った断面図である。
【図５】図５は、図１に示すＣ−Ｃ線に沿った断面図である。
【図６】図６は、図４を基準とした断面図であり、物品折り目を基点に吸収性物品を展開した状態を模式的に示している。
【発明を実施するための形態】
【０００８】
（１）実施形態の概要
本明細書及び添付図面の記載により、少なくとも以下の事項が明らかとなる。
一態様に係る吸収性物品は、前胴回り域、後胴回り域、及び前記前胴回り域と前記後胴回り域との間に位置する股下域と、前記前胴回り域から前記後胴回り域に向かう前後方向及び前記前後方向と直交する幅方向と、前記股下域を跨ぎ、前記前胴回り域及び前記後胴回り域の少なくともいずれか一方に延びる吸収コアと、収縮部よりも前記幅方向の側方において前記収縮部の起立支点となる幅基端縁と、を有する起立性の防漏ギャザーと、を備える。前記吸収性物品は、使用前に、前記前後方向に沿って延び、前記吸収性物品の前記幅方向の中心を挟んで一対で配置された物品折り目を基点に、前記吸収性物品の肌面側同士が向き合うように折り畳まれている。前記幅基端縁は、少なくとも前記前胴回り域及び前記後胴回り域において、前記吸収コアの外側縁よりも前記幅方向の外側に配置されている。前記物品折り目は、少なくとも前記前胴回り域及び前記後胴回り域において前記吸収コアに重なっている。少なくとも前記前胴回り域及び前記後胴回り域では、吸収コアの外側縁よりも幅方向の外側に幅基端縁が配置されており、吸収コアの外側縁よりも幅方向の外側に防漏ギャザーの壁部を形成できる。軟便等の流動性の高い排泄物が排出され、吸収コアの外側縁近傍まで拡散しても、防漏ギャザーの幅基端縁が拡散を抑制し、漏れを抑制できる。また、折り目は、少なくとも前胴回り域及び前記後胴回り域において、吸収コアに重なっている。よって、吸収コアの外側部は、折り癖によって着用者側に立ち上がるように変形する。吸収コアの外側部が立ち上がることにより、吸収コアよりも幅方向の外側に位置する幅基端縁も着用者側に立ち上がる。よって、壁部の立ち上がり基点となる幅基端縁が着用者側に立ち上がることにより、壁部の高さを高く形成でき、横漏れを抑制できる。
【０００９】
好ましい一態様によれば、前記防漏ギャザーは、前記収縮部よりも前記前側において、前記収縮部の起立支点となる前基端縁と、前記収縮部よりも前記後側において、前記収縮部の起立支点となる後基端縁と、を有する。前記前基端縁と前記後基端縁のうち少なくとも一方は、前記吸収コアと重なる領域に配置されている。本態様によれば、前基端縁と後基端縁のうち少なくとも一方が吸収コアと重なるため、収縮部の起立支点を吸収コアの剛性によって支持し、壁部の起立性を維持し易い。加えて、吸収コアの前後方向の端部を防漏ギャザーによって引き上げることができ、前後方向に沿った断面において吸収性物品の前後方向の端部が着用者側に隆起したお椀形状を実現することができ、前後方向の漏れも抑制できる。
【００１０】
好ましい一態様によれば、前記吸収コアの外側縁よりも前記幅方向の外側に位置し、前記前後方向に伸縮する側部弾性部材を有する。前記側部弾性部材は、前記幅基端縁よりも前記幅方向の内側に位置する内側部弾性部材を有する。本態様によれば、吸収コアの外側縁と幅基端縁の間の領域を内側部弾性部材によって着用者側に引き上げることができる。吸収コアよりも側方の密着性を高めるとともに、幅基端縁を引き上げることによって、壁部の立ち上がり基点となる幅基端縁も引き上げ、防漏ギャザーの壁部をより高くすることができる。
【００１１】
好ましい一態様によれば、前記内側部弾性部材は、前記吸収コアの外側縁と前記幅基端縁との前記幅方向の中心よりも前記幅方向の外側に位置する。本態様によれば、吸収コアの外側縁と前記幅基端縁との前記幅方向の中心よりも前記幅方向の外側の領域は、吸収コアの外側縁と前記幅基端縁との前記幅方向の中心よりも内側の領域と比較して、吸収コアの剛性の影響を受けにくく、意図した形状を維持し難い。当該吸収コアから比較的離れた領域を、内側部弾性部材によって引き上げ、着用者の身体に沿って吸収性物品を配置でき、横漏れを抑制できる。
【００１２】
好ましい一態様によれば、前記吸収コアの外側縁よりも前記幅方向の外側に位置し、前記前後方向に伸縮する側部弾性部材を有する。前記側部弾性部材は、前記幅基端縁よりも前記幅方向の外側に位置する外側部弾性部材を有する。本態様によれば、幅基端縁よりも幅方向の外側の領域を外側部弾性部材によって着用者側に引き上げることができる。幅基端縁よりも幅方向の内側の領域が引き上げられることにより、幅基端縁を基点に起立した壁部は、幅方向の外側に倒れずに幅方向の内側に倒れやすい。着用者の股間部の側方を覆うように壁部を設けることができる。
【００１３】
好ましい一態様によれば、少なくとも前記後胴回り域において、前記吸収コアよりも前記幅方向の外側に延出し、前記前胴回り域に止着可能な止着部材が接合されたフラップ部を備える。前記収縮部の後端縁は、前記フラップ部の前端縁よりも後側に位置する。装着補助者は、装着時に止着部材及びフラップ部を幅方向に引っ張る。このとき、収縮部の後端縁がフラップ部の前端縁よりも後側に位置するため、フラップ部を幅方向に引っ張ることによって収縮部の後端縁も幅方向の外側に引っ張られる。よって、収縮部の起立性を確保でき、防漏ギャザーの壁部の高さを確保できる。
【００１４】
好ましい一態様によれば、前記吸収コアよりも前側及び前記吸収コアよりも後側のうち少なくとも一方に位置し、前記幅方向に伸縮する幅伸縮性部材を有する。本態様によれば、吸収コアよりも前後方向の外側の領域を、幅伸縮性部材によって身体に密着させることができる。よって、幅方向に沿った断面において、防漏ギャザーによって吸収性物品の側部が着用者側に隆起したお椀形状を実現するだけでなく、前後方向に沿った断面において、幅伸縮性部材によって吸収性物品の前後方向の端部が着用者側に隆起したお椀形状を実現することができる。横漏れのみならず、前後方向の漏れも抑制できる。
【００１５】
好ましい一態様によれば、前記防漏ギャザーは、前記吸収性物品の伸長状態において、前記幅基端縁よりも前記幅方向の内側に位置する内側防漏弾性部材を有する。本態様によれば、前記物品折り目は、前記幅基端縁と前記内側防漏弾性部材との間において、前記防漏ギャザーに重なっている。物品折り目は、幅基端縁と内側防漏弾性部材との間において、防漏ギャザーに重なっている。内側防漏弾性部材の収縮力は、幅基端縁を介して吸収コアに伝わる。幅基端縁と内側防漏弾性部材に折り目が配置されており、内側防漏弾性部材の収縮力を折り目によって分断できる。内側防漏弾性部材の収縮力が吸収コアに伝わることを抑制できる。防漏ギャザーの収縮に起因して吸収コアが収縮することを抑制でき、吸収コアが身体に当たる面積を確保できる。吸収容量を確保し、漏れを抑制できる。
【００１６】
好ましい一態様によれば、前記防漏ギャザーは、前記収縮部よりも前記前側において、前記収縮部の起立支点となる前基端縁と、前記収縮部よりも前記後側において、前記収縮部の起立支点となる後基端縁と、を有する。前記前基端縁と前記後基端縁のうち少なくとも一方は、前記吸収コアと重ならない領域に設けられている。本態様によれば、前基端縁と後基端縁のうち少なくとも一方が吸収コアに重ならないため、前基端縁及び後基端縁を介して、防漏ギャザーの収縮力が吸収コアに直接的に伝播せず、防漏ギャザーの収縮に起因して吸収コアが収縮し難い。防漏ギャザーの収縮に起因して吸収コアが収縮することを抑制でき、吸収コアが身体に当たる面積を確保できる。吸収容量を確保し、漏れを抑制できる。
【００１７】
好ましい一態様によれば、前記防漏ギャザーと前記吸収コアと重なる積層領域の少なくとも一部には、前記防漏ギャザーの非肌面が、前記防漏ギャザーの非肌面に当接する部材に対して接合されていない非接合領域が設けられている。本態様によれば、積層領域に非接合領域が設けられているため、防漏ギャザーの収縮力が吸収コアに伝播することを抑制し、防漏ギャザーの収縮に起因して吸収コアが収縮することを抑制できる。
【００１８】
好ましい一態様によれば、前記収縮部は、吸収性物品の伸長状態において、前記幅基端縁よりも前記幅方向の内側に位置する内側収縮部と、前記幅基端縁よりも前記幅方向の外側に位置する外側収縮部と、を有する。内側収縮部は、いわゆる内倒しギャザーを構成し、外側収縮部は、いわゆる外倒しギャザーを構成する。両方のギャザーによって、身体に当てる面をより広く設けることができる。また、内側収縮部と外側収縮部を有し、幅方向の両側にそれぞれ収縮部が延び、それぞれの収縮部が身体に対して追従するため、１つの収縮部の幅方向の長さが長い構成と比較して壁部の起立性を維持しやすい。
【００１９】
（２）吸収性物品の実施形態
以下、図面を参照して、実施形態に係る吸収性物品としての使い捨ておむつについて説明する。吸収性物品は、大人用の使い捨ておむつであってもよいし、子供用の使い捨ておむつであってもよい。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２０】
図１は、本実施形態に係る吸収性物品１を肌面側から見た平面図であり、図２は、図１に示す吸収性物品が物品折り目を基点に折り畳まれた状態を示した平面図である。図３は、図１に示すＡ−Ａ線に沿った断面図である。図４は、図１に示すＢ−Ｂ線に沿った断面図である。図５は、図１に示すＣ−Ｃ線に沿った断面図である。図１及び図２に示す平面図は、吸収性物品１を皺が形成されない状態まで伸長させた伸長状態を示している。なお、本発明における伸長状態とは、吸収性物品１を皺が形成されない状態まで伸長させた状態である。また、本発明における自然状態とは、パッケージに収容されている吸収性物品１にあっては、パッケージから吸収性物品１を取り出し、２０℃±２℃、相対湿度６０％±５％ＲＨの雰囲気下において２４時間放置した状態である。本実施の形態の吸収性物品１は、展開型の大人用の吸収性物品であるが、これに限定されない。吸収性物品１は、子供用の吸収性物品であってもよい。
【００２１】
吸収性物品１は、互いに直交する前後方向Ｌ及び幅方向Ｗを有する。前後方向Ｌは、身体前側と身体後側とに延びる方向（前胴回り域Ｓ１と後胴回り域Ｓ２に延びる方向）によって規定される。言い換えると、前後方向Ｌは、展開された吸収性物品１において前後に延びる方向である。また、吸収性物品１は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００２２】
吸収性物品１は、前胴回り域Ｓ１と、後胴回り域Ｓ２と、股下域Ｓ３と、を有する。前胴回り域Ｓ１は、使用時に着用者の身体前側に面する。後胴回り域Ｓ２は、使用時に着用者の身体後側に面する。股下域Ｓ３は、前胴回り域Ｓ１と後胴回り域Ｓ２との間に位置し、使用時に着用者の股下に配置される。股下域Ｓ３は、吸収コア３０によって規定できる。具体的には、括れ部３３を有する吸収コア３０においては、吸収コア３０の括れ部３３が形成された領域が、股下域Ｓ３の前後方向Ｌの領域となる。括れ部３３を有しない吸収コア３０においては、吸収コア３０の前後方向の長さを三等分したうちの中央の領域が、股下域Ｓ３の前後方向Ｌの領域となる。本実施の形態では、吸収コア３０の括れ部３３の前端縁が、股下域Ｓ３と前胴回り域Ｓ１の境界を規定し、吸収コア３０の括れ部３３の後端縁が、股下域Ｓ３と後胴回り域Ｓ２の境界を規定している。
【００２３】
吸収性物品１は、少なくとも吸収コア３０を有する。吸収コア３０は、股下域Ｓ３を跨ぎ、前胴回り域Ｓ１及び後胴回り域Ｓ２の少なくとも一方に延びている。吸収コア３０は、例えば粉砕パルプもしくは高吸収性ポリマー（ＳＡＰ）、又はこれらの混合物を含む吸収材料の積層体であってよい。上述のように、吸収コア３０は、股下域において幅方向Ｗに凹んだ括れ部３３が形成されている。括れ部３３の幅方向Ｗの長さは、吸収コアの括れ部３３以外の部分の幅方向Ｗの長さよりも短い。
【００２４】
吸収性物品１は、吸収コア３０の肌面側Ｔ１に位置する肌面シート１０を有する。肌面シートは、表面シート１１と、サイドシート１２と、肌側コアラップ１３と、を有してよい。表面シート１１は、液透過性を有し、吸収コア３０の少なくとも幅方向Ｗの中心を覆うように配置されてよい。サイドシート１２は、一般的な不織布からなり、疎水性有する素材や加工がされていてもよい。サイドシート１２は、吸収コア３０の幅方向Ｗの中心よりも幅方向Ｗの外側において、幅方向Ｗにおける表面シート１１の両側部を覆うように配置されてよい。表面シート１１及びサイドシート１２は、後述する防漏シートを構成してよい。肌側コアラップ１３は、不織布又はティッシュによって構成される。変形例において、肌面シート１０は、表面シート１１の非肌面側、かつ肌側コアラップ１３よりも肌面側に配置されたセカンドシートを有してよい。吸収性物品１は、吸収コア３０の非肌面側Ｔ２に位置する非肌面シート２０を有する。非肌面シート２０は、液不透過性のバックフィルム２１と、バックフィルム２１の非肌面側Ｔ２に配置されたバック不織布２２と、吸収コア３０の非肌面側に位置する非肌側コアラップ２３を有してよい。
【００２５】
少なくとも後胴回り域Ｓ２には、フラップ部９０が設けられてよい。フラップ部９０は、吸収コア３０よりも幅方向Ｗの外側に延出している。フラップ部９０は、基材シート９３と、基材シート９３上に接合された止着部材と、を有する。基材シート９３は、肌面シート１０と非肌面シート２０の間に接合され、かつ肌面シート１０と非肌面シート２０から幅方向Ｗの外側に延出している。止着部材は、前胴回り域Ｓ１に設けられたターゲット部９５に止着可能に構成されている。より詳細には、止着部材は、ターゲット部９５に止着するフック部材が配置されている。本実施の形態の止着部材は、前後方向Ｌに間隔を空けて配置された第１止着部材９１及び第２止着部材９２を有する。第１止着部材９１は、第２止着部材９２よりも前側に位置している。第１止着部材９１の前端縁９１Ｆは、止着部材の前端縁を構成する。なお、変形例において、止着部材は、左右それぞれに１個ずつ設けられていてもよい。フラップ部９０の前端縁９０Ｆは、基材シート９３の前端縁によって構成されている。また、変形例において、吸収性物品１は、フラップ部９０の基材シート９３を備えず、肌面シート１０及び非肌面シート２０が幅方向Ｗの外側に延出し、当該肌面シート上に止着部材が接合されていてもよい。当該基材シート９３を備えない変形例においては、フラップ部９０の前端縁９０Ｆは、止着部材の前端縁によって構成されてよい。
【００２６】
図２に示すように、吸収性物品１は、使用前に、前後方向Ｌに沿って延びる物品折り目ＦＬ１を基点に折り畳まれている。物品折り目ＦＬ１は、吸収性物品１の幅方向Ｗの中心である物品幅中心１ＷＣを挟んで一対で配置されている。吸収性物品１は、物品折り目ＦＬ１を基点に肌面側Ｔ１同士が向き合うように折り畳まれている。よって、吸収性物品１には、物品折り目ＦＬ１よりも幅方向Ｗの外側の領域が、物品折り目ＦＬ１を基点に肌面側Ｔ１に立ち上がるような折り癖が形成される。図１に示すように、物品折り目ＦＬ１は、少なくとも前胴回り域Ｓ１及び後胴回り域Ｓ２において吸収コア３０に重なっている。本実施の形態の物品折り目ＦＬ１は、括れ部３３の内側縁（括れ部において最も幅方向Ｗの内側に凹んだ部分）よりも幅方向Ｗの外側、かつ吸収コア３０の外側縁３０Ｅよりも幅方向Ｗの内側に配置されている。なお、吸収性物品１のフラップ部９０は、物品折り目ＦＬ１を基点に折り畳まれる前に、止着部材が幅方向Ｗの内側に折り畳まれ、かつ止着部材が折り畳まれた状態でフラップ部の内側縁（肌面シート１０の外側縁及び非肌面シート２０の外側縁）を基点に幅方向Ｗの内側に折り畳まれている。
【００２７】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。また、内側辺は、内側縁を含み、かつ前後方向Ｌに沿って延びる辺である。外側辺は、外側縁を含み、かつ前後方向Ｌに沿って延びる辺である。なお、本明細書において、「前後方向Ｌに沿って」という用語は、前後方向Ｌに対して４５°未満の角度を持った方向を意味し、「幅方向Ｗに沿って」という用語は、幅方向Ｗに対して４５°未満の角度を持った方向を意味する。
【００２８】
吸収性物品１は、側部弾性部材８０を有する。側部弾性部材８０は、吸収コアの外側縁３０Ｅよりも幅方向Ｗの外側に位置し、前後方向Ｌに伸縮する。側部弾性部材８０は、後述する防漏弾性部材と別の伸縮性部材である。側部弾性部材８０は、肌面シート１０と非肌面シート２０の間に接合されている。より詳細には、側部弾性部材８０は、幅方向Ｗに間隔を空けて左右３本ずつ設けられている。最も幅方向Ｗの内側に位置する側部弾性部材８０は、表面シート１１とバックフィルム２１の間に配置されている。残りの２本の側部弾性部材８０は、サイドシート１２とバックフィルム２１の間に配置されている。
【００２９】
吸収性物品は、防漏ギャザー６０を有する。防漏ギャザー６０は、着用者の肌面側Ｔ１に起立可能に構成されている。防漏ギャザー６０は、防漏弾性部材６９の収縮によって収縮する収縮部６３と、収縮部６３よりも幅方向Ｗの側方において収縮部６３の起立支点となる幅基端縁６４と、収縮部６３よりも前側において、収縮部６３の起立支点となる前基端縁６５と、収縮部６３よりも後側において、収縮部６３の起立支点となる後基端縁６６と、を有している。収縮部６３の前端縁は、前基端縁６５に一致し、収縮部６３の後端縁は、後基端縁６６に一致する。収縮部６３は、肌面側Ｔ１に向かって起立可能な領域であり、防漏弾性部材６９が配置された領域のみならず、防漏弾性部材６９が配置されていない領域も含む概念である。
【００３０】
本実施の形態の防漏ギャザー６０は、内側防漏ギャザー６０１と、外側防漏ギャザー６０２と、を有する。内側防漏ギャザー６０１は、いわゆる内倒れのギャザーであり、幅方向Ｗの内側に向かって開口する収容空間を形成する。内側防漏ギャザー６０１は、収縮部６３としての内側収縮部６３１と、幅基端縁６４としての内側幅基端縁６４１と、前基端縁６５としての内側前基端縁６５１と、後基端縁６６としての内側後基端縁６６１と、を有する。外側防漏ギャザー６０２は、いわゆる外倒れのギャザーであり、幅方向Ｗの外側に向かって開口する収容空間を形成する。外側防漏ギャザー６０２は、収縮部６３としての外側収縮部６３２と、幅基端縁６４としての外側幅基端縁６４２と、前基端縁６５としての外側前基端縁６５２と、後基端縁６６としての外側後基端縁６６２と、を有する。なお、以下の防漏ギャザーの説明において、特段の説明がない限り、吸収性物品１の伸長状態における位置関係とする。
【００３１】
防漏ギャザー６０は、少なくとも防漏シート６８及び防漏弾性部材６９によって構成されている。防漏弾性部材６９は、前後方向Ｌに伸長した状態で配置されており、前後方向Ｌに伸縮する。防漏シート６８は、防漏弾性部材６９が接合されており、少なくとも一部が防漏シートよりも非肌面側に位置するシートに対して起立可能に構成されている。内側防漏ギャザー６０１は、防漏弾性部材６９としての内側防漏弾性部材６９１を有する。内側防漏弾性部材６９１は、内側収縮部６３１の内側部に設けられており、吸収性物品の伸長状態において、内側幅基端縁６４１よりも幅方向Ｗの内側に位置している。内側収縮部６３１の頂点は、内側収縮部６３１の内側縁に設けられている。内側防漏ギャザー６０１の内側防漏シート６８１は、表面シート１１によって構成されている。なお、変形例において、内側防漏シート６８１は、サイドシートによって構成されていてもよいし、表面シート及びサイドシート以外の他のシートによって構成されていてもよい。本実施の形態の内側防漏シート６８１は、表面シート１１が折り返されることによって形成されている。より詳細には、表面シート１１は、幅方向Ｗの外側部において第１表面折り目ＦＬ１１を基点に、肌面側Ｔ１かつ幅方向Ｗの内側に折り畳まれるとともに、折り畳まれた部分の幅方向Ｗの内側部において第２表面折り目ＦＬ１２を基点に、非肌面側Ｔ２かつ幅方向Ｗの外側に折り畳まれている。第１表面折り目ＦＬ１１と第２表面折り目ＦＬ１２の間の領域は、内側防漏ギャザー６０１において最も肌面側に位置する内側肌当接部を構成する。第２表面折り目ＦＬ１２を基点に折り畳まれた部分は、内側先端部を構成する。第１表面折り目ＦＬ１１を基点に折り畳まれていない部分（第１表面折り目ＦＬ１１から幅方向Ｗの内側に延びる部分）は、内側肌当接部と対向して配置された内側対向部を構成する。内側先端部は、内側対向部を覆っている。内側防漏弾性部材６９１は、内側肌当接部と先端部との間に配置されている。本実施の形態の内側対向部は、表面シートよりも非肌面側に位置するシート（肌側コアラップ１３及び非肌面シート２０）に対して接着剤ＨＭを介して接合されている。内側幅基端縁６４１は、第１表面折り目ＦＬ１１である。内側前基端縁６５１は、内側収縮部６３１よりも前側において内側肌当接部及び先端部が内側対向部に固定された領域の後端縁（最も内側収縮部側の端縁）である。内側後基端縁６６１は、内側収縮部６３１よりも後側において内側肌当接部及び先端部が内側対向部に固定された領域の前端縁（最も内側収縮部側の端縁）である。
【００３２】
外側防漏ギャザー６０２は、防漏弾性部材６９としての外側防漏弾性部材６９２を有する。外側防漏弾性部材６９２は、外側収縮部６３２の外側部に設けられており、吸収性物品の伸長状態において、外側幅基端縁６４２よりも幅方向Ｗの外側に位置している。外側収縮部６３２の頂点は、外側収縮部６３２の外側縁に設けられている。外側防漏ギャザー６０２の外側防漏シート６８２は、サイドシート１２によって構成されている。なお、変形例において、外側防漏シート６８２は、表面シートによって構成されていてもよいし、表面シート及びサイドシート以外の他のシートによって構成されていてもよい。本実施の形態の外側防漏シート６８２は、サイドシート１２が折り返されることによって形成されている。より詳細には、サイドシート１２は、幅方向Ｗの内側部において第１サイド折り目ＦＬ２１を基点に、肌面側Ｔ１かつ幅方向Ｗの外側に折り畳まれるとともに、折り畳まれた部分の幅方向Ｗの外側部において第２サイド折り目ＦＬ２２を基点に、非肌面側Ｔ２かつ幅方向Ｗの内側に折り畳まれている。第１サイド折り目ＦＬ２１と第２サイド折り目ＦＬ２２の間の領域は、外側防漏ギャザー６０２において最も肌面側Ｔ１に位置する外側肌当接部を構成する。第２サイド折り目ＦＬ２２を基点に折り畳まれた部分は、外側先端部を構成する。第２サイド折り目ＦＬ２２を基点に折り畳まれていない部分（第２サイド折り目から幅方向Ｗ外側に延び重なる部分）は、外側肌当接部と対向して配置された外側対向部を構成する。外側先端部は、外側対向部を覆っている。外側防漏弾性部材６９２は、外側肌当接部と先端部との間に配置されている。本実施の形態の外側幅基端縁６４２は、第２サイド折り目ＦＬ２２である。外側前基端縁６５２は、外側収縮部よりも前側において外側肌当接部及び先端部が外側対向部に固定された領域の後端縁（最も外側収縮部側の端縁）である。外側後基端縁６６２は、外側収縮部６３２よりも後側において外側肌当接部及び先端部が外側対向部に固定された領域の前端縁（最も外側収縮部側の端縁）である。
【００３３】
本実施の形態の吸収性物品１、防漏ギャザー６０の壁部の高さを確保しつつ防漏ギャザー６０の収容空間を広げることができるように構成されている。次いで、防漏ギャザーの壁部の高さを確保しつつ防漏ギャザー６０の収容空間を広げるための構成について詳細に説明する。図６は、図４を基準とした断面図であり、物品折り目ＦＬ１を基点に吸収性物品を展開した状態を模式的に示している。防漏ギャザーは、収縮部の収縮によって肌面側に起立する部分である。
【００３４】
幅基端縁６４は、少なくとも前胴回り域Ｓ１及び後胴回り域Ｓ２において、吸収コア３０の外側縁３０Ｅよりも幅方向Ｗの外側に配置されている。複数の幅基端縁６４の少なくとも一部の幅基端縁６４が、吸収コア３０の外側縁３０Ｅよりも幅方向Ｗの外側に配置されていればよい。図４及び図５に示すように、本実施の形態の内側幅基端縁６４１は、吸収コア３０の外側縁３０Ｅよりも幅方向Ｗの外側に配置されている。変形例において、内側幅基端縁６４１及び外側幅基端縁６４２の両方が、前胴回り域Ｓ１及び後胴回り域Ｓ２において吸収コア３０の外側縁３０Ｅよりも幅方向Ｗの外側に配置されてよい。少なくとも前胴回り域Ｓ１及び後胴回り域Ｓ２では、吸収コア３０の外側縁３０Ｅよりも幅方向Ｗの外側に幅基端縁６４が配置されており、吸収コア３０の外側縁３０Ｅよりも幅方向Ｗの外側に防漏ギャザー６０の壁部を形成できる。軟便等の流動性の高い排泄物が排出され、吸収コア３０の外側縁３０Ｅ近傍まで拡散しても、防漏ギャザー６０で外側への拡散を抑制し、横漏れを抑制できる。加えて、内側幅基端縁６４１は、吸収コア３０の外側縁３０Ｅよりも幅方向Ｗの外側に配置されている形態にあっては、吸収コア３０の外側縁３０Ｅ近傍まで流動性の高い排泄物が拡散しても、内側防漏ギャザー６０１の収容空間内で排泄物を保持でき、横漏れを抑制できる。好適には、内側幅基端縁６４１の前後方向Ｌの全域が、吸収コア３０の外側縁３０Ｅよりも幅方向Ｗの外側に配置されてよい。同様に、外側幅基端縁６４２の前後方向Ｌの全域が、吸収コア３０の外側縁３０Ｅよりも幅方向Ｗの外側に配置されてもよい。
【００３５】
なお、本実施の形態では、図３から図５に示すように、内側幅基端縁６４１の前後方向Ｌの全域が、吸収コア３０の外側縁３０Ｅよりも幅方向Ｗの外側に配置されている。図３に示すように、外側幅基端縁６４２は、股下域Ｓ３においては、吸収コア３０の外側縁３０Ｅよりも幅方向Ｗの外側に配置されている。図４及び図５に示すように、外側幅基端縁６４２は、前胴回り域Ｓ１及び後胴回り域Ｓ２においては、吸収コア３０の外側縁３０Ｅよりも幅方向Ｗの内側に位置し、吸収コア３０と重なっている。防漏ギャザー６０と吸収コア３０が重なる積層領域の少なくとも一部には、防漏ギャザーの非肌面が、防漏ギャザーの非肌面に当接する部材に対して接合されていない非接合領域ＮＲが設けられている。非接合領域ＮＲは、内側防漏ギャザー６０１を構成する内側防漏シート６８１の非肌面が、内側防漏シート６８１の非肌面に当接する部材（バックフィルム２１）に接合されていない領域と、外側防漏ギャザー６０２を構成する外側防漏シート６８２の非肌面が、外側防漏シート６８２の非肌面に当接する部材（バックフィルム２１）に接合されていない領域である。防漏ギャザーの非肌面には、非接合領域ＮＲにおいて接着剤ＨＭが配置されてない。また、防漏ギャザーの非肌面には、非接合領域ＮＲよりも幅方向の外側において接着剤ＨＭが配置されており、防漏ギャザーの非肌面に当接する部材に対して接合されている。本実施の形態では、内側防漏ギャザー６０１と吸収コア３０が重なる積層領域の一部と、外側防漏ギャザー６０２と吸収コア３０が重なる積層領域の一部と、に、非接合領域ＮＲが設けられている。積層領域に非接合領域ＮＲが設けられているため、防漏ギャザー６０の収縮力が吸収コア３０に伝播することを抑制し、防漏ギャザー６０の収縮に起因して吸収コア３０が収縮することを抑制できる。
【００３６】
図４及び図５に示すように、物品折り目ＦＬ１は、少なくとも前胴回り域Ｓ１及び後胴回り域Ｓ２において吸収コア３０に重なっている。よって、図６に示すように、吸収コア３０の外側部は、折り癖によって着用者側に立ち上がるように変形する。吸収コア３０の外側部が立ち上がることにより、吸収コア３０よりも幅方向Ｗの外側に位置する幅基端縁６４も着用者側に立ち上がる。よって、壁部の立ち上がり基点となる幅基端縁６４が着用者側に立ち上がることにより、壁部の高さを高く形成でき、横漏れを抑制できる。本実施の形態では、内側幅基端縁６４１及び外側幅基端縁６４２の両方が物品折り目ＦＬ１よりも幅方向Ｗの外側に位置し、内側幅基端縁６４１及び外側幅基端縁６４２の両方が折り癖によって着用者側に立ち上がる。
【００３７】
前基端縁６５と後基端縁６６のうち少なくとも一方は、吸収コア３０と重なる領域に配置されてよい。本実施の形態では、内側前基端縁６５１は、吸収コア３０と重なる領域に配置されており、内側後基端縁６６１、外側前基端縁６５２及び外側後基端縁６６２は、吸収コア３０と重ならない領域に配置されている。前基端縁６５と後基端縁６６のうち少なくとも一方が吸収コア３０と重なることにより、収縮部６３の起立支点を吸収コア３０の剛性によって支持し、壁部の起立性を維持し易い。加えて、吸収コア３０の前後方向Ｌの端部を防漏ギャザー６０によって引き上げることができ、前後方向Ｌに沿った断面において吸収性物品１の前後方向Ｌの端部が着用者側に隆起したお椀形状を実現することができ、前後方向Ｌの漏れも抑制できる。
【００３８】
図３に示すように、側部弾性部材８０は、幅基端縁６４よりも幅方向Ｗの内側に位置する内側部弾性部材８１を有してよい。内側部弾性部材８１は、内側幅基端縁６４１及び外側幅基端縁６４２の少なくとも一方よりも幅方向Ｗの内側に位置していればよい。本実施の形態の内側部弾性部材８１は、内側幅基端縁６４１よりも幅方向Ｗの内側に位置しており、３本の側部弾性部材８０のうち最も幅方向Ｗの内側に位置する側部弾性部材８０によって構成されている。当該構成によれば、吸収コア３０の外側縁３０Ｅと幅基端縁６４の間の領域を内側部弾性部材８１によって着用者側に引き上げることができる。吸収コア３０よりも側方の密着性を高めるとともに、幅基端縁６４を引き上げることによって、壁部の立ち上がり基点となる幅基端縁６４も引き上げ、防漏ギャザー６０の壁部をより高くすることができる。
【００３９】
内側部弾性部材８１は、吸収コア３０の外側縁３０Ｅと幅基端縁６４との幅方向Ｗの中心よりも幅方向Ｗの外側に位置してよい。図３に示すように、本実施の形態では、内側部弾性部材８１は、吸収コア３０の外側縁３０Ｅと内側幅基端縁６４１との幅方向Ｗの中心ＣＬ６４よりも幅方向Ｗの外側に位置している。中心ＣＬ６４よりも幅方向Ｗの外側の領域は、中心ＣＬ６４よりも内側の領域と比較して、吸収コア３０の剛性の影響を受けにくく、意図した形状を維持し難い。当該吸収コア３０から比較的離れた領域を、内側部弾性部材８１によって引き上げ、着用者の身体に沿って吸収性物品１を配置でき、横漏れを抑制できる。
【００４０】
側部弾性部材８０は、幅基端縁６４よりも幅方向Ｗの外側に位置する外側部弾性部材８２を有してよい。幅基端縁６４よりも幅方向Ｗの外側の領域を外側部弾性部材８２によって着用者側に引き上げることができる。幅基端縁６４よりも幅方向Ｗの内側の領域が引き上げられることにより、幅基端縁６４を基点に起立した壁部は、幅方向Ｗの外側に倒れずに幅方向Ｗの内側に倒れやすい。着用者の股間部の側方を覆うように壁部を設けることができる。なお、外側部弾性部材８２は、内側幅基端縁６４１及び外側幅基端縁６４２の少なくとも一方よりも幅方向Ｗの外側に位置していればよい。しかし、好適には、外側部弾性部材８２は、内側幅基端縁６４１よりも幅方向Ｗの外側に位置してよい。本実施の形態の外側部弾性部材８２は、内側幅基端縁６４１よりも幅方向Ｗの外側に位置しており、３本の側部弾性部材８０のうち最も幅方向Ｗの外側に位置する側部弾性部材８０と、幅方向Ｗの中央に位置する側部弾性部材８０と、によって構成されている。当該構成によれば、内倒れの内側防漏ギャザー６０１の壁部が外倒れになることを抑制でき、着用者の股間部の側方を覆うように壁部を設ける効果をより得られる。
【００４１】
収縮部６３の後端縁６３Ｒは、フラップ部９０の前端縁９０Ｆよりも後側に位置してよい。本実施の形態では、内側収縮部６３１の後端縁６３１Ｒが、フラップ部９０の前端縁９０Ｆよりも後側に位置し、外側収縮部６３２の後端縁６３２Ｒが、フラップ部９０の前端縁９０Ｆと一致している。装着補助者は、装着時に止着部材及びフラップ部９０を幅方向Ｗに引っ張る。このとき、収縮部６３の後端縁６３Ｒがフラップ部９０の前端縁９０Ｆよりも後側に位置するため、フラップ部９０を幅方向Ｗに引っ張ることによって収縮部６３の後端縁も幅方向Ｗの外側に引っ張られる。よって、収縮部６３の起立性を確保でき、防漏ギャザー６０の壁部の高さを確保できる。また、好適には、収縮部６３の後端縁６３Ｒは、止着部材の前端縁よりも後側であってよい。装着補助者が止着部材を引っ張った際に、収縮部を引っ張り易く、収縮部６３の起立性をより向上できる。
【００４２】
吸収性物品１は、吸収コア３０よりも前後方向Ｌの外側に位置し、幅方向Ｗに伸縮する幅伸縮性部材８８を有してよい。本実施の形態の幅伸縮性部材８８の後端縁８８Ｒは、吸収性物品１の後端縁１Ｒと離間しており、吸収性物品１の後端縁１Ｒよも前側に位置する。また、幅伸縮性部材８８の前端縁８８Ｆは、吸収コア３０の後端縁３０Ｒと離間しており、吸収コア３０の後端縁３０Ｒよりも後側に位置する。幅伸縮性部材８８の外側縁は、防漏ギャザー６０の内側縁（内側収縮部６３１の頂点）よりも幅方向Ｗの内側に位置する。吸収コア３０よりも前後方向Ｌの外側の領域を、幅伸縮性部材８８によって身体に密着させることができる。よって、幅方向Ｗに沿った断面において、防漏ギャザー６０によって吸収性物品１の側部が着用者側に隆起したお椀形状を実現するだけでなく、前後方向Ｌに沿った断面において、幅伸縮性部材８８によって吸収性物品の前後方向Ｌの端部が着用者側に隆起したお椀形状を実現することができる。横漏れのみならず、前後方向Ｌの漏れも抑制できる。
【００４３】
本実施の形態の吸収性物品１は、吸収コア３０の収縮を抑制することで、吸収容量を確保し、漏れを抑制できるように構成されている。次いで、吸収コア３０の収縮を抑制するための構成について詳細に説明する。物品折り目ＦＬ１は、幅基端縁６４と内側防漏弾性部材６９１との間において、防漏ギャザー６０に重なってよい。本実施の形態では、物品折り目ＦＬ１は、内側幅基端縁６４１と内側防漏弾性部材６９１との間において、内側防漏ギャザー６０１に重なっている。物品折り目ＦＬ１は、幅基端縁６４と内側防漏弾性部材６９１との間において、防漏ギャザー６０に重なっている。内側防漏弾性部材６９１の収縮力は、幅基端縁６４を介して吸収コア３０に伝わる。内側幅基端縁６４１と内側防漏弾性部材６９１に物品折り目ＦＬ１が配置されており、内側防漏弾性部材６９１の収縮力を物品折り目ＦＬ１によって分断できる。内側防漏弾性部材６９１の収縮力が吸収コア３０に伝わることを抑制できる。防漏ギャザー６０の収縮に起因して吸収コア３０が収縮することを抑制でき、吸収コア３０が身体に当たる面積を確保できる。吸収容量を確保し、漏れを抑制できる。
【００４４】
内側幅基端縁６４１は、吸収コア３０の外側縁３０Ｅよりも幅方向Ｗの外側に配置されている。内側幅基端縁が吸収コア３０の外側縁３０Ｅよりも幅方向Ｗの外側に位置するため、内側幅基端縁６４１を介して、防漏ギャザー６０の収縮力が吸収コア３０に直接的に伝播せず、内側防漏ギャザー６０１の収縮に起因して吸収コア３０が収縮し難い。好適には、内側幅基端縁６４１の前後方向Ｌの全域が吸収コア３０に重なっていなくてよい。また、同様に、外側幅基端縁６４２は、吸収コア３０の外側縁３０Ｅよりも幅方向Ｗの外側に配置されてよい。外側幅基端縁６４２を介して、外側防漏ギャザー６０２の収縮力が吸収コアに直接的に伝播せず、外側防漏ギャザー６０２の収縮に起因して吸収コア３０が収縮し難くなる。
【００４５】
前基端縁６５と後基端縁６６のうち少なくとも一方は吸収コア３０と重ならない領域に配置されてよい。本実施の形態では、外側前基端縁６５２、外側後基端縁６６２、及び内側後基端縁６６１は、吸収コア３０と重ならない領域に配置されている。前基端縁６５と後基端縁６６のうち少なくとも一方が吸収コア３０に重ならないため、前基端縁６５及び後基端縁６６を介して、防漏ギャザー６０の収縮力が吸収コア３０に直接的に伝播せず、防漏ギャザー６０の収縮に起因して吸収コア３０が収縮し難い。防漏ギャザー６０の収縮に起因して吸収コア３０が収縮することを抑制でき、吸収コア３０が身体に当たる面積を確保できる。吸収容量を確保し、漏れを抑制できる。
【００４６】
収縮部６３は、吸収性物品１の伸長状態において、幅基端縁６４よりも幅方向Ｗの内側に位置する内側収縮部６３１と、幅基端縁６４よりも幅方向Ｗの外側に位置する外側収縮部６３２と、を有してよい。内側収縮部６３１は、内側幅基端縁６４１よりも幅方向Ｗの内側に位置し、外側収縮部６３２は、外側幅基端縁６４２よりも幅方向Ｗの外側に位置する。内側収縮部６３１は、いわゆる内倒しギャザーを構成し、外側収縮部６３２は、いわゆる外倒しギャザーを構成する。両方の防漏ギャザーによって、身体に当てる面をより広く設けることができる。また、幅基端縁６４の両側にそれぞれ収縮部が配置され、それぞれの収縮部が身体に対して追従するため、１つの収縮部の幅方向Ｗの長さが長い構成と比較して壁部の起立性を維持しやすい。
【００４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。例えば、上述の実施形態の防漏ギャザーは、内側防漏ギャザー６０１と外側防漏ギャザー６０２を有しているが、変形例において、防漏ギャザーは、内側防漏ギャザー６０１と外側防漏ギャザー６０２のいずれかを有してよい。また、実施の形態の外側防漏ギャザー６０２の内側部は、内側防漏ギャザー６０１の外側部に重なっている。すなわち、外側防漏ギャザー６０２と内側防漏ギャザー６０１は、部分的に積層され、接着剤を介して接合されている。しかし、変形例において、外側防漏ギャザー６０２と内側防漏ギャザー６０１は、積層されてなく、幅方向Ｗにおいて離間してよい。また、実施の形態の外側防漏ギャザー６０２は、内側防漏ギャザー６０１の肌面側に配置されている。しかし、変形例において、内側防漏ギャザー６０１が外側防漏ギャザー６０２の肌面側Ｔ１に配置されていてもよい。
【産業上の利用可能性】
【００４８】
本発明によれば、防漏ギャザーの壁部の高さを確保しつつ防漏ギャザーの収容空間を広げることができる吸収性物品を提供できる。
【符号の説明】
【００４９】
１        ：吸収性物品
１１      ：表面シート（肌面シート）
１２      ：サイドシート（肌面シート）
２０      ：非肌面シート
３０      ：吸収コア
３０Ｅ    ：外側縁
６０      ：防漏ギャザー
６０１    ：内側防漏ギャザー
６０２    ：外側防漏ギャザー
６３      ：収縮部
６３１    ：内側収縮部
６３２    ：外側収縮部
６４      ：幅基端縁
６５      ：前基端縁
６６      ：後基端縁
６９      ：防漏弾性部材
８０      ：側部弾性部材
８１      ：内側部弾性部材
８２      ：外側部弾性部材
８８      ：幅伸縮性部材
９０      ：フラップ部
９１      ：第１止着部材（止着部材）
９２      ：第２止着部材（止着部材）
９３      ：基材シート
９５      ：ターゲット部
ＦＬ１    ：物品折り目
Ｌ        ：前後方向
Ｓ１      ：前胴回り域
Ｓ２      ：後胴回り域
Ｓ３      ：股下域
Ｔ１      ：肌面側
Ｔ２      ：非肌面側
Ｗ        ：幅方向
【要約】
【課題】防漏ギャザーの壁部の高さを確保しつつ防漏ギャザーの収容空間を広げることができる吸収性物品を提供する。
【解決手段】吸収性物品は、吸収性物品は、吸収コア（３０）と、収縮部（６３）よりも幅方向の側方において収縮部の起立支点となる幅基端縁（６４）を有する起立性の防漏ギャザー（６０）を備える。吸収性物品は、使用前に、前後方向に沿って延び、吸収性物品の幅方向の中心を挟んで一対で配置された物品折り目（ＦＬ１）を基点に、吸収性物品の肌面側同士が向き合うように折り畳まれている。幅基端縁は、少なくとも前胴回り域及び後胴回り域において、吸収コアの外側縁よりも幅方向の外側に配置されている。物品折り目は、少なくとも前胴回り域及び後胴回り域において吸収コアに重なっている。
【選択図】図６【図１】
0006776470.tif 000002
【図２】
0006776470.tif 000003
【図３】
0006776470.tif 000004
【図４】
0006776470.tif 000005
【図５】
0006776470.tif 000006
【図６】
0006776470.tif 000007